(57)【要約】【課題】発信者が通常の機能を持つ外部端末２０ａから通常の発信処理で代表番号に電話した場合でも、適切な着信先を選定することができる代表着信処理方法を提供する。【解決手段】構内交換機４０は、代表番号への着信を受けた時に、代表番号が属するグループの代表端末６０を鳴動させると共に、そのグループの総ての内線端末３０ａ，３０ｂに発信者番号を通知する。内線端末３０ａ，３０ｂは、通知された発信者番号が自己の電話番号登録リストに存在する場合、このリスト上で発信者番号に対応する発信者の名前を表示画面に表示し、ユーザは、この画面を見て、発信者に相応しいユーザが内線端末３０ａから特番を入力する。構内交換機４０は、特番を発信した内線端末３０ａを着信先に選定する。そのため、発信者は、通常の機能の電話機２０ａを用いて代表番号にダイアルすれば、発信者に相応しいユーザとの通話ができる。【選択図】図１
2006197330.tif 000002
【特許請求の範囲】
【請求項１】
（１）所定グループの代表番号への着信を受信するステップと、
（２）前記着信の発信者番号を取得するステップと、
（３）前記グループに属する複数の内線端末に前記発信者番号を通知するステップと、
（４）前記発信者番号又は前記発信者番号から発信者を識別する識別情報のうち少なくとも一つを表示するステップと、
を備える代表着信処理方法。
【請求項２】
請求項１に記載の代表着信処理方法であって、
前記（３）のステップにおいて、前記グループに属する総ての内線端末に前記発信者番号を通知する、代表着信処理方法。
【請求項３】
請求項１又は２に記載の代表着信処理方法であって、
更に、前記グループの代表端末を鳴動させるステップを備える、代表着信処理方法。
【請求項４】
請求項１ないし３のいずれか１項に記載の代表着信処理方法であって、
前記内線端末は電話番号登録リストを有し、
前記（３）のステップにおいて通知された前記発信者番号が、前記電話番号登録リストに存在する場合に、前記（４）のステップにおいて、前記発信者番号に対応する前記識別情報としての発信者の名前を表示画面に表示する、代表着信処理方法。
【請求項５】
請求項１ないし４のいずれか１項に記載の代表着信処理方法であって、
電話を受けるための操作が行われたとき、前記操作に基づく信号を構内交換機に発信し、前記信号を受信した前記構内交換機が、当該信号を発信した内線端末を着信先に選定するステップを更に備える、代表着信処理方法。
【請求項６】
請求項５に記載の代表着信処理方法であって、
前記内線端末が、電話を受けるための前記操作に基づいて、特番を前記構内交換機に通知する、代表着信処理方法。
【請求項７】
代表番号への着信があった時に、複数の内線端末の中から着信先を選定する構内交換機であって、
前記代表番号が属するグループの代表端末及び内線端末の内線番号と前記代表番号との関係が記述された内線グループ管理テーブルと、
着信情報から抽出した前記代表番号を用いて、前記内線グループ管理テーブルから前記代表番号が属するグループの代表端末の内線番号を取得し、前記代表端末を呼び出す代表端末呼び出し制御部と、
前記内線グループ管理テーブルから前記代表番号が属するグループの内線端末の内線番号を取得し、前記内線端末に着信情報から抽出した発信者番号を通知する発番号通知制御部とを備え、
前記発信者番号を通知した内線端末から電話を受ける旨の信号を受信したとき、前記代表端末の呼び出しを停止して、前記信号を発信した内線端末を着信先に選定する構内交換機。
【発明の詳細な説明】
【技術分野】
【０００１】
本発明は、代表電話番号がダイアルされたときに、該代表電話番号に属する複数の内線端末に着信を通知し、かつ着信先を選定する代表着信処理方法と、その方法を実施する構内交換機に関し、特に、内線端末での自己宛以外の外線着信への応対を減らすようにしたものである。
【背景技術】
【０００２】
通常、電子式構内交換機は、代表電話番号に着信した際に予め設定された方法で内線端末を呼び出す代表選択機能を備えており、例えば、代表電話番号がダイアルされたとき、話中でない内線端末の中から予め設定された優先順位が高い端末を選定して着信呼を接続することが行われている。
【０００３】
しかし、この方式では、優先度が上位の人の端末に常に着信呼が接続されるため、優先度が高い人は、他の人に宛てた不特定多数の着信呼に応対しなければならないという問題がある。
【０００４】
この問題を解消するため、下記特許文献１では、「発信者に着側代表番号に属するユーザの内線番号リストを伝達し、それを受けた発信者が、リストの中から接続したいユーザを指定する」という代表選択方式を提案している。
【０００５】
図９は、この代表選択方式を模式的に示し、図１０は、この方式での通信シーケンスを示している。この方式を実施する構内交換機１４０は、収容した複数の内線端末１３０ａ、１３０ｂの内線番号とユーザ名との関係が記述されたユーザリストを保持しており、また、外部端末１２０ａ、１２０ｂは、構内交換機１４０から送られたユーザリストを表示する表示手段を備えている。
【０００６】
図９及び図１０は、企業Ａの発信者が外線番号０３−１２３−１２３４の外部端末１２０ａを使用して、企業ＸＸのグループＹＹに属するユーザａに電話を掛ける場合を示している。このとき、発信者は、外部端末１２０ａから企業ＸＸのグループＹＹの代表番号０３−５５５５−１１００にダイアルする（１）。構内交換機１４０は、発呼されたダイアル番号が代表番号であることを認識すると、外部端末１２０ａに対してユーザリストを送信する（２）。ユーザリストは、外部端末１２０ａの表示手段に表示され（３）、発信者がユーザリストからユーザａ（＃１１０１）を選択すると（３’）、選択した内線番号（＃１１０１）が構内交換機１４０に送信される（４）。構内交換機１４０は、選択された内線番号（＃１１０１）の内線端末１３０ａを呼び出し（５）、内線端末１３０ａが鳴動する（６）。ユーザａが電話に出ると（７）、外部端末１２０ａと内線端末１３０ａとの通話が行われる。
【０００７】
このように、この代表選択方式では、内線端末１３０ａ、１３０ｂのユーザが他の内線端末宛の着信に応答し、取り次ぐ手間を省くことができる。
【０００８】
【特許文献１】特開平８−２３３７８号公報
【発明の開示】
【発明が解決しようとする課題】
【０００９】
しかしながら、前記特許文献１の方式では、発信者がユーザリストから相手を選択するなどの特別な操作を行う必要があり、発信者に負担を強いるという問題がある。特にグループに多数のユーザが属している場合には、発信者は、着ユーザの選択に多くの時間を取られることになる。
【００１０】
また、この方式では、発信側の外部端末に、特別な機能（ユーザリストの表示や選択など）を実装する必要があり、その機能を持たない端末は、この方式を利用することができないという問題がある。
【００１１】
本発明は、こうした従来の問題点を解決するものであり、発信者が通常の機能を持つ外部端末から通常の発信処理で代表番号に電話した場合でも、該代表電話番号に属する複数の内線端末に着信を通知し、かつ適切な着信先が選定される代表着信処理方法と、その方法を実施する構内交換機を提供する。
【課題を解決するための手段】
【００１２】
本発明の代表着信処理方法は、（１）所定グループの代表番号への着信を受信するステップと、（２）前記着信の発信者番号を取得するステップと、（３）前記グループに属する複数の内線端末に前記発信者番号を通知するステップと、（４）前記発信者番号又は前記発信者番号から発信者を識別する識別情報のうち少なくとも一つを表示するステップとを備える。（３）のステップにおいて、前記グループに属する総ての内線端末に前記発信者番号を通知するようにすることができる。また、前記グループの代表端末を更に鳴動させることができる。
【００１３】
そのため、内線端末のユーザは、別ユーザ宛の外信着信に応対するケースが減少する。  また、発信者は、通常の機能の電話機を使用して代表番号にダイアルすれば、発信者に相応しいユーザとの通話ができる。
【００１４】
また、前記内線端末に電話番号登録リストを設け、前記（３）のステップにおいて通知された前記発信者番号が、前記電話番号登録リストに存在する場合に、前記（４）のステップにおいて、前記発信者番号に対応する前記識別情報としての発信者の名前を表示画面に表示することができる。
【００１５】
上記構成により、内線端末のユーザは容易に発信者を特定することができる。
【００１６】
また、電話を受けるための操作が行われたとき、前記操作に基づく信号を構内交換機に発信し、前記信号を受信した前記構内交換機が、当該信号を発信した内線端末を着信先に選定する。ここで、内線端末が、電話を受けるための操作に基づいて、特番を構内交換機に通知することができる。
【００１７】
構内交換機は、内線端末から送られた特番を検知して、この内線端末を着信先に選定する。
【００１８】
また、本発明では、構内交換機に、代表番号が属するグループの代表端末及び内線端末の内線番号と代表番号との関係を記述した内線グループ管理テーブルと、着信情報から抽出した代表番号を用いて、内線グループ管理テーブルから代表番号が属するグループの代表端末の内線番号を取得し、代表端末を呼び出す代表端末呼び出し制御部と、内線グループ管理テーブルから代表番号が属するグループの内線端末の内線番号を取得し、内線端末の総てに着信情報から抽出した発信者番号を通知する発番号通知制御部とを設け、発信者番号を通知した内線端末から電話を受ける旨の信号を受信したとき、代表端末の呼び出しを停止して、その信号を発信した内線端末を着信先に選定するように構成している。
【００１９】
そのため、発信者が通常の機能を持つ外部端末から通常の発信処理で代表番号に電話した場合でも、その発信者に相応しいユーザの内線端末が着信先に選定される。
【発明の効果】
【００２０】
本発明の代表着信処理方法及び構内交換機は、着側において、別ユーザ宛の外信着信に応対するケースを減らすことができ、また、発信者に対して、通常の機能の電話機から代表番号をダイアルした場合でも、その発信者に相応しいユーザと通話することを可能にする。
【発明を実施するための最良の形態】
【００２１】
図１は、本発明の実施形態における代表着信処理方法を実施するシステムを模式的に示している。このシステムは、公衆網またはＩＳＤＮ網１０に接続して代表選択サービスを行う構内交換機４０と、構内交換機４０に有線接続された、グループＹＹの代表端末６０と、基地局５０を通じて構内交換機４０と無線接続した、グループＹＹの内線端末３０ａ、３０ｂと、公衆網またはＩＳＤＮ網１０に接続した通常の機能を持つ外部端末２０ａ、２０ｂとで構成されている。
【００２２】
このシステムは、概ね次のような動作を行う。外部端末２０ａからグループＹＹの代表番号０３−５５５５−１１００をダイアルすると、構内交換機４０は、その代表番号が設定されたグループＹＹの代表端末６０を鳴動させるとともに、そのグループＹＹに属する全内線端末３０ａ、３０ｂに外部端末２０ａの発信者番号０３−１２３−１２３４を通知する。そのため各内線端末３０ａ、３０ｂの表示画面には、発信者番号や、その発信者番号が電話番号登録リストに登録されているときは、その番号に対応付けられた名前が表示される。名前は発信者を識別する識別情報であるが、発信者を識別することができる情報であれば、画像等、その他の表示を採用することができる。
【００２３】
内線端末３０ａ、３０ｂのユーザは、代表端末６０の鳴動を聞いて、内線端末３０ａ、３０ｂに表示された発信者情報を見る。そして、その発信者に相応しいユーザが電話を受けるための処理を内線端末で行い、構内交換機４０は、この処理が行われた内線端末と外部端末２０ａとを接続する。
【００２４】
このシステムの構内交換機４０は、図３に示すように、内線や外線から信号を受信する受信部４１と、ダイアル番号の解析機能を有し、端末間の回線交換を行う回線交換部４２と、内線や外線に信号を発信する発信部４３と、着信信号に代表番号が含まれる場合に代表端末６０の呼出しや各内線端末３０ａ、３０ｂへの発信者番号の通知処理を行う代表着信処理部４４とを備えている。代表着信処理部４４は、着信情報から発信者番号を抽出する発番号抽出部４４１と、この発信者番号を記憶する発番号記憶部４４８と、着信情報からダイアルされた番号を抽出する代表番号抽出部４４２と、各グループの代表番号とそのグループの代表端末及び内線端末の内線番号とが記述された内線グループ管理テーブル４４７と、内線グループ管理テーブル４４７を参照して、代表番号が属するグループの代表端末６０の代表内線番号を取得する代表端末導出部４４３と、代表端末６０の呼び出し制御を行う代表端末制御部４４４と、内線グループ管理テーブル４４７を参照して、グループ配下の内線端末の内線番号を取得する内線グループ導出部４４５と、内線番号を取得した内線端末３０ａ、３０ｂに発信者番号を通知する発番号通知制御部４４６とを具備している。
【００２５】
この代表番号抽出部４４２、代表端末導出部４４３及び代表端末制御部４４４は、「代表端末呼び出し制御部」を構成し、発番号抽出部４４１、発番号記憶部４４８、内線グループ導出部４４５及び発番号通知制御部４４６は、「発番号通知制御部」を構成している。
【００２６】
図４は、内線グループ管理テーブル４４７を示している。ここには、企業ＸＸのグループの代表番号である「グループ代表外線番号」、グループの代表端末６０の内線番号を示す「グループ代表内線番号」、及び、そのグループに属する内線端末３０ａ、３０ｂの内線番号を示す「グループ配下内線番号」が対応付けて記述されている。
【００２７】
また、このシステムの内線端末３０は、図５に示すように、通常の携帯電話機が有する受信部３１、音声通話処理部３２、発信部３３等の他に、構内交換機４０から送られた発信者番号の表示処理を行う発番号通知受信処理部３４を備えている。発番号通知受信処理部３４は、着信信号から発信者番号を抽出する発番号抽出部３４１と、電話番号と名前とが関連付けて記述された電話番号登録リスト３４５と、電話番号登録リスト３４５を参照して、発信者番号に対応した名前を検索する番号リスト検索部３４２と、検索された名前や発信者番号を表示する発番号表示部３４３とを具備している。
【００２８】
図６は、電話番号登録リスト３４５を示しており、登録された「電話番号」及び「名前」が対応付けて記述されている。
【００２９】
図２は、図１に示すシステムの通信シーケンスを示している。ここでは、企業Ａの発信者が外線番号０３−１２３−１２３４の外部端末２０ａを用いて、企業ＸＸのグループＹＹのユーザａに電話を掛ける場合を示している。このとき、発信者は、外部端末２０ａからグループＹＹの代表番号０３−５５５５−１１００にダイアルする（１）。構内交換機４０は、着信情報からダイアル番号を抽出し、内線グループ管理テーブル４４７を参照して、この番号を代表番号とするグループＹＹの代表端末の内線番号（＃１１００）を読み取り、代表端末６０に呼び出し信号を送信する（２）。そのため、代表端末６０は鳴動する（２’）。
【００３０】
また、構内交換機４０は、内線グループ管理テーブル４４７から、グループ配下の内線端末の内線番号（＃１１０１、＃１１０２、・・）を読み取り、各内線端末３０ａ、３０ｂに対し発信者番号（０３−１２３−１２３４）を通知する（３）。この通知は、発呼者番号表示サービスの場合と同様に、モデム信号を使って行われる。
【００３１】
この間の構内交換機４０の動作手順を図７のフロー図に示している。
【００３２】
構内交換機４０の受信部４１が着信信号を検出すると（ステップ１）、回線交換部４２は、着信種別を導出し、発呼要求に対して、着回線を保持した状態で（ステップ２）、ダイアル番号（発信先番号）を解析し、代表着信か否かを判定する（ステップ３）。代表着信でないときは、着回線を該当するダイアル番号の端末に接続する（ステップ１１）。
代表着信のときは、代表着信処理部４４の発番号抽出部４４１が、着信信号の発信者番号を抽出し（ステップ４）、発番号記憶部４４８に格納する（ステップ５）。
【００３３】
代表番号抽出部４４２は、着信信号の発信先番号（代表番号）を抽出し（ステップ６）、代表端末導出部４４３は、抽出した代表番号をキーに内線グループ管理テーブル４４７を検索し、代表番号に関連付けられたグループ代表内線番号を導出する（ステップ７）。
【００３４】
代表端末制御部４４４は、導出したグループ代表内線番号に対応した代表端末６０を鳴動させるように発信部４３に指示し、発信部４３は、代表端末６０に呼び出し信号を送信する（ステップ８）。
【００３５】
内線グループ導出部４４５は、抽出した代表番号をキーに内線グループ管理テーブル４４７を検索し、その代表番号に関連付けられたグループ配下内線番号を導出する（ステップ９）。発番号通知制御部４４６は、導出したグループ配下内線番号に対応する内線端末の総てに、発番号記憶部４４８へ格納した発信者番号を通知するように、発信部４３に指示し、発信部４３は、モデム信号を用いて各内線端末３０ａ、３０ｂに発信者番号を通知する（ステップ１０）。
【００３６】
図２に戻り、発信者番号を受信した各内線端末３０ａ、３０ｂは、表示画面に発信者番号（０３−１２３−１２３４）を表示する（４）。
【００３７】
このとき、図１に示すように、電話番号登録リストに０３−１２３−１２３４が登録されている内線端末３０ａでは、発信者番号（０３−１２３−１２３４）とともに、この発信者番号に対応するリスト上の名前「企業Ａ」が表示され、電話番号登録リストに０３−１２３−１２３４が登録されていない内線端末３０ｂでは、発信者番号（０３−１２３−１２３４）だけが表示される。
【００３８】
このときの内線端末の動作手順を図８のフロー図に示している。
【００３９】
内線端末３０の受信部３１が、発信者番号を知らせる発番号通知信号を検出すると（ステップ２１）、発番号通知受信処理部３４の発番号抽出部３４１は、発番号通知信号から発信者番号を抽出する（ステップ２２）。番号リスト検索部３４２は、抽出した発信者番号をキーに電話番号登録リスト３４５を検索し（ステップ２３）、その発信者番号が電話番号登録リスト３４５に存在するか否かを調べる（ステップ２４）。存在するときは、その発信者番号（電話番号）に関連付けられた「名前」を導出する（ステップ２５）。発番号表示部３４３は、内線端末３０の表示画面に、発信者番号とともに、導出された「名前」を表示する（ステップ２６）。また、その発信者番号が電話番号登録リスト３４５に存在しないときには、発番号表示部３４３は、内線端末３０の表示画面に発信者番号だけを表示する（ステップ２７）。
【００４０】
内線端末のユーザは、内線端末の表示画面に表示された発信者番号や名前を見て、電話に出るべきか否かを決定する。
【００４１】
図２では、内線端末３０ａ（内線番号＃１１０１）のユーザａが電話の応対を決定した場合について示している。ユーザａは、内線端末３０ａのキー（不図示）を操作して、予め決められている電話応対の決定を伝える特番（例えば１１）を構内交換機４０に通知する（５）。構内交換機４０の回線交換部４２は、この特番を認識すると、代表端末６０への呼び出し信号の送信を止め（６）、内線番号＃１１０１の内線端末３０ａへ着信呼を接続する（７）。その結果、外部端末２０ａと内線端末３０ａとの通話が可能になる。
【００４２】
このように、このシステムの構内交換機は、代表番号への着信があったときに、代表端末を鳴動させ、代表番号に関連付けられたグループの全内線端末に、着信は行わずに、発信者番号だけを通知する。この通知を受けた内線端末は、その発信者番号が自分の電話番号登録リストに存在する場合に、発信者の名前を表示する。その発信者名を見て、関連があるユーザは電話を受ける処理（特番の発信など）を行い、この処理が行われた内線端末に着信呼が接続される。
【００４３】
そのため、着側では、別ユーザ宛の外信着信に応対するケースを減らすことができる。  また、電話に出ないユーザは、着信していないので、通常の操作（電話を掛ける等）が可能である。
【００４４】
一方、発信者は、通常の機能の電話機を使用して、代表番号をダイアルする通常の発信処理を行うことで、発信者に相応しいユーザとの通話が可能になる。
【００４５】
また、上記実施形態においては，グループ配下内線番号に対応する内線端末の総てに、発信者番号を通知しているが、必ずしも総ての内線端末に通知する必要はない。
【００４６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００４７】
本発明の代表着信処理方法及び構内交換機は、発信者が通常の機能の電話機から代表番号にダイアルした場合でも、発信者に相応しい相手の内線端末を着信先に選定することができるものであり、各企業等の電話交換システムに広く利用することができる。
【図面の簡単な説明】
【００４８】
【図１】本発明の実施形態における代表着信処理方法を実施するシステムの模式図
【図２】本発明の実施形態におけるシステムでの通信シーケンスを示す図
【図３】本発明の実施形態における構内交換機の構成を示すブロック図
【図４】本発明の実施形態における内線グループ管理テーブルのデータ構成を示す図
【図５】本発明の実施形態における内線端末の構成を示すブロック図
【図６】本発明の実施形態における電話番号登録リストのデータ構成を示す図
【図７】本発明の実施形態における構内交換機の動作を示すフロー図
【図８】本発明の実施形態における内線端末の動作を示すフロー図
【図９】従来の代表着信処理方法を実施するシステムの模式図
【図１０】従来のシステムでの通信シーケンスを示す図
【符号の説明】
【００４９】
１０      公衆網／ＩＳＤＮ網
２０ａ    外部端末
２０ｂ    外部端末
３０      内線端末
３０ａ    内線端末
３０ｂ    内線端末
３１      受信部
３２      音声通話処理部
３３      発信部
３４      発番号通知受信処理部
４０      構内交換機
４１      受信部
４２      回線交換部
４３      発信部
４４      代表着信処理部
６０      代表端末
１２０ａ  外部端末
１２０ｂ  外部端末
１３０ａ  内線端末
１３０ｂ  内線端末
１４０    構内交換機
３４１    発番号抽出部
３４２    番号リスト検索部
３４３    発番号表示部
３４５    電話番号登録リスト
４４１    発番号抽出部
４４２    代表番号抽出部
４４３    代表端末導出部
４４４    代表端末制御部
４４５    内線グループ導出部
４４６    発番号通知制御部
４４７    内線グループ管理テーブル
４４８    発番号記憶部
【図１】
2006197330.tif 000003
【図２】
2006197330.tif 000004
【図３】
2006197330.tif 000005
【図４】
2006197330.tif 000006
【図５】
2006197330.tif 000007
【図６】
2006197330.tif 000008
【図７】
2006197330.tif 000009
【図８】
2006197330.tif 000010
【図９】
2006197330.tif 000011
【図１０】
2006197330.tif 000012